(57)【要約】【課題】外部装置からの同期信号の取得や外部装置に対するクロック信号の供給を行わずに、測定装置内で生成される第１の処理対象データの値と外部装置において生成される第２の処理対象データの値とに基づく処理済データを好適に生成する。【解決手段】第１のクロックの第１のカウント値に基づいて特定される第１の周期で測定値データＤ１を生成する測定部１１と、測定装置２において第２のクロックの第２のカウント値に基づいて特定される第２の周期で生成された測定値データＤ２を取得して測定値データＤ３を生成するデータ生成処理を実行するデータ処理部１６とを備え、処理部１６は、第１および第２のカウント値を取得して両カウント値の相違量を特定する相違量特定処理を繰り返し実行すると共に、データ生成処理において、直前に実行した相違量特定処理によって特定した相違量に応じてデータＤ１，Ｄ２を同期させる。【選択図】図１
2019211379.tif 000002
【特許請求の範囲】
【請求項１】
第１のクロックの第１のカウント値に基づいて特定される第１の周期で第１の処理対象データを生成する測定部と、
外部装置において当該外部装置における第２のクロックの第２のカウント値に基づいて特定される第２の周期で生成された第２の処理対象データを当該外部装置から取得して当該第２の処理対象データおよび前記第１の処理対象データに基づいて処理済データを生成するデータ生成処理を実行する処理部とを備え、
前記処理部は、前記第１のカウント値および前記第２のカウント値を取得して、取得した当該第１のカウント値および当該第２のカウント値の相違量を特定する相違量特定処理を繰り返し実行すると共に、前記データ生成処理において、直前に実行した前記相違量特定処理によって特定した前記相違量に応じて前記第１の処理対象データおよび前記第２の処理対象データを同期させて前記処理済データを生成する測定装置。
【請求項２】
前記処理部は、前記第１の周期の時間長および前記第２の周期の時間長が異なるときに、前記外部装置から取得した前記第２の処理対象データに基づいて前記第１の周期に対応する当該第２の処理対象データを補完する第１のデータ補完処理、および前記測定部から取得した前記第１の処理対象データに基づいて前記第２の周期に対応する当該第１の処理対象データを補完する第２のデータ補完処理の少なくとも一方を実行する請求項１記載の測定装置。
【請求項３】
前記処理部は、前記測定部からの前記第１の処理対象データの取得時に当該第１の処理対象データの生成時点における前記第１のカウント値を当該測定部から取得し、かつ前記外部装置からの前記第２の処理対象データの取得時に当該第２の処理対象データの生成時点における前記第２のカウント値を当該外部装置から取得する請求項１または２記載の測定装置。
【請求項４】
請求項１から３のいずれかに記載の測定装置と、前記外部装置としての外部測定装置とを備えて構成されている測定システム。
【発明の詳細な説明】
【技術分野】
【０００１】
本発明は、測定部において生成された第１の処理対象データと外部装置において生成された第２の処理対象データとに基づいて処理済データを生成する処理部を備えた測定装置、およびそのような測定装置を備えた測定システムに関するものである。
【背景技術】
【０００２】
例えば、下記の特許文献には、試験対象物に設けられたセンサから出力されるアナログ信号波形に高速度カメラによって撮影された試験対象物の映像データの映像を同期させてアナログ信号波形と試験対象物の映像とを同一画面上に表示可能に構成された波形解析装置の発明が開示されている。
【０００３】
この波形解析装置では、アナログ信号入力部による波形測定と並行して高速度カメラによって試験対象物の撮影が行われると共に、高速度カメラから出力されて同期信号入力部によって取得されたフレーム同期信号に基づき、アナログ信号波形に対して試験対象物の映像が同期させられる構成が採用されている。これにより、同特許文献に開示の波形解析装置によれば、試験対象物に設けられたセンサから出力される波形データの信号波形と高速度カメラによって撮影された試験対象物の映像とを時間的なずれを生じさせることなく同一の表示画面上に表示させることが可能となっている。
【先行技術文献】
【特許文献】
【０００４】
【特許文献１】特開２０１１−７５９２号公報（第４−７頁、第１−６図）
【発明の概要】
【発明が解決しようとする課題】
【０００５】
ところが、上記特許文献に開示されている波形解析装置には、以下のような問題点が存在する。具体的には、上記特許文献に開示されている波形解析装置では、試験対象物を撮像する高速度カメラから取得したフレーム同期信号に基づいて波形データの信号波形と試験対象物の映像とを同期させて表示させる構成が採用されている。このため、この波形解析装置では、フレーム同期信号を出力することができない構成のカメラが接続されたときに、波形データの信号波形と試験対象物の映像とを同期させて表示させることができないという問題点が存在する。
【０００６】
この場合、上記特許文献に開示の波形解析装置のように、装置内の測定部において生成される測定値データの測定値と、外部装置において生成されたデータの値（例えば、装置内の測定部とは別個独立して測定処理を実行する外部測定装置の測定部において生成される測定値データの測定値など）とを同期させて予め規定されたデータ処理を行って処理済データを生成可能に測定システムを構築するときには、外部装置として、同期信号を出力可能な特殊な構成の装置ではなく、同期信号を出力するようには構成されていない汎用の装置を使用することで、測定システムを安価に構築することが可能となる。しかしながら、上記特許文献に開示の波形解析装置では、前述のようにフレーム同期信号を外部装置から取得して処理する構成のため、汎用の装置を使用して測定システムを安価に構築するのが困難となっている。
【０００７】
一方、外部装置から同期信号を取得する構成に代えて、外部装置に対して動作クロックのクロック信号を供給して動作させることで、外部装置から同期信号を取得しなくても、装置内部において生成されるデータの値と外部装置において生成されるデータの値とを同期させて処理することが可能となる。しかしながら、そのような構成を採用した場合には、供給されたクロック信号に応じて動作する特殊な構成の外部装置の使用が前提となるため、測定システムを安価に構築するのが依然として困難となる。
【０００８】
本発明は、かかる問題点に鑑みてなされたものであり、外部装置から同期信号を取得したり、外部装置に対して動作クロックのクロック信号を供給したりすることなく、装置内部において生成される第１の処理対象データの値と外部装置において生成される第２の処理対象データの値とに基づく処理済データを好適に生成し得る測定装置および測定システムを提供することを主目的とする。
【課題を解決するための手段】
【０００９】
上記目的を達成すべく、請求項１記載の測定装置は、第１のクロックの第１のカウント値に基づいて特定される第１の周期で第１の処理対象データを生成する測定部と、外部装置において当該外部装置における第２のクロックの第２のカウント値に基づいて特定される第２の周期で生成された第２の処理対象データを当該外部装置から取得して当該第２の処理対象データおよび前記第１の処理対象データに基づいて処理済データを生成するデータ生成処理を実行する処理部とを備え、前記処理部は、前記第１のカウント値および前記第２のカウント値を取得して、取得した当該第１のカウント値および当該第２のカウント値の相違量を特定する相違量特定処理を繰り返し実行すると共に、前記データ生成処理において、直前に実行した前記相違量特定処理によって特定した前記相違量に応じて前記第１の処理対象データおよび前記第２の処理対象データを同期させて前記処理済データを生成する。
【００１０】
また、請求項２記載の測定装置は、請求項１記載の測定装置において、前記処理部は、前記第１の周期の時間長および前記第２の周期の時間長が異なるときに、前記外部装置から取得した前記第２の処理対象データに基づいて前記第１の周期に対応する当該第２の処理対象データを補完する第１のデータ補完処理、および前記測定部から取得した前記第１の処理対象データに基づいて前記第２の周期に対応する当該第１の処理対象データを補完する第２のデータ補完処理の少なくとも一方を実行する。
【００１１】
さらに、請求項３記載の測定装置は、請求項２記載の測定装置において、前記処理部は、前記測定部からの前記第１の処理対象データの取得時に当該第１の処理対象データの生成時点における前記第１のカウント値を当該測定部から取得し、かつ前記外部装置からの前記第２の処理対象データの取得時に当該第２の処理対象データの生成時点における前記第２のカウント値を当該外部装置から取得する。
【００１２】
さらに、請求項４記載の測定システムは、請求項１から３のいずれかに記載の測定装置と、前記外部装置としての外部測定装置とを備えて構成されている。
【発明の効果】
【００１３】
請求項１記載の測定装置では、処理部が、測定部が第１の処理対象データを生成する際に使用している第１のクロックの第１のカウント値、および外部装置が第２の処理対象データを生成する際に使用している第２のクロックの第２のカウント値を取得して、取得した第１のカウント値および第２のカウント値の相違量を特定する相違量特定処理を繰り返し実行すると共に、データ生成処理において、直前に実行した相違量特定処理によって特定した相違量に応じて第１の処理対象データおよび第２の処理対象データを同期させて処理済データを生成する。また、請求項４記載の測定システムでは、上記の測定装置と、外部装置としての外部測定装置とを備えて構成されている。
【００１４】
したがって、請求項１記載の測定装置、および請求項４記載の測定システムによれば、外部装置（外部測定装置）から同期信号を取得したり、測定装置から外部装置（外部測定装置）に対して動作クロックのクロック信号を供給したりすることなく、相違量特定処理によって特定される測定部の第１のクロックの第１のカウント値と外部装置（外部測定装置）の第２のクロックの第２のカウント値との相違量に基づいて、測定装置において生成される第１の処理対象データの値と外部装置（外部測定装置）において生成される第２の処理対象データの値とを正確に同期させることができる。これにより、請求項１記載の測定装置、および請求項４記載の測定システムによれば、第１の処理対象データおよび第２の処理対象データに基づく処理済データの生成を行っている最中に処理部が第１の処理対象データを取得するのに要する時間、および処理部が第２の処理対象データを取得するのに要する時間が変化したり、第１のクロックの第１のカウント値の進行に対する第２のクロックの第２のカウント値の進行に遅れや進みが生じたりしたとしても、正確に同期された第１の処理対象データおよび第２の処理対象データに基づいて正確な処理済データを生成することができる。
【００１５】
請求項２記載の測定装置では、処理部が、第１の周期の時間長および第２の周期の時間長が異なるときに、外部装置から取得した第２の処理対象データに基づいて第１の周期に対応する第２の処理対象データを補完する第１のデータ補完処理、および測定部から取得した第１の処理対象データに基づいて第２の周期に対応する第１の処理対象データを補完する第２のデータ補完処理の少なくとも一方を実行する。したがって、請求項２記載の測定装置、およびそのような測定装置を備えた測定システムによれば、生成のタイミングが一致する第１の処理対象データおよび第２の処理対象データだけに基づいて処理済データを生成する構成と比較して、その時間間隔が充分に短い多数の値が記録された詳細な処理済データを提供することができる。
【００１６】
請求項３記載の測定装置では、処理部が、測定部からの第１の処理対象データの取得時に第１の処理対象データの生成時点における第１のカウント値を測定部から取得し、かつ外部装置からの第２の処理対象データの取得時に第２の処理対象データの生成時点における第２のカウント値を外部装置から取得する。したがって、請求項３記載の測定装置、およびそのような測定装置を備えた測定システムによれば、第１の処理対象データの取得とは別の時点において第１のカウント値を取得したり、第２の処理対象データの取得とは別の時点におけて第２のカウント値を取得したりする構成とは異なり、取得した第１の処理対象データと共に取得した第１のカウント値、および第２の処理対象データと共に取得した第２のカウント値に基づいて、取得した第１の処理対象データおよび第２の処理対象データをほぼリアルタイムに同期させて処理済データを生成することができる。
【図面の簡単な説明】
【００１７】
【図１】測定システムＳ１の構成を示す構成図である。
【図２】波形表示装置１において使用される各クロックのカウント値の一例について説明するための説明図である。
【発明を実施するための形態】
【００１８】
以下、測定装置および測定システムの実施の形態について、添付図面を参照して説明する。
【００１９】
図１に示す測定システムＳ１は、「測定システム」の一例であって、「測定装置」の一例である波形表示装置１、および「外部装置」としての「外部測定装置」の一例である測定装置２を備えて構成されている。
【００２０】
波形表示装置１は、後述するように、装置内において生成した測定値データＤ１（「第１の処理対象データ」の一例）、および測定装置２において生成された測定値データＤ２（「第２の処理対象データ」の一例）に基づいて測定値データＤ３（「処理済データ」の一例）を生成し、生成した測定値データＤ３に基づく信号波形を表示することができるように構成されている。この波形表示装置１は、測定部１１、通信部１２、測定値記録部１３、操作部１４、表示部１５、データ処理部１６および記憶部１７を備えている。
【００２１】
測定部１１は、「測定部」の一例であって、予め規定された任意の被測定量についての測定処理を実行して測定値（電流値、電圧値、抵抗値、電力値、位相、温度、湿度、歪み、輝度（光度）、照度、雨量および流量など）を示す測定値データＤ１を生成可能に構成されている。この場合、本例の波形表示装置１では、一例として、測定部１１が、測定対象を流れる電流の電流値を測定して測定値としての電流値を示す測定値データＤ１を生成可能に構成されている。この測定部１１は、「第１のクロック」の一例である図示しないクロックを備えている。また、測定部１１は、予め設定された測定条件に従い、クロックのカウント値（「第１のカウント値」の一例）に基づいて特定されるサンプリング周期（電流の測定周期：「第１の周期」の一例）で電流値を示す測定値データＤ１を生成して出力可能に構成されている。
【００２２】
通信部１２は、一例として、通信ケーブル３を介して接続された測定装置２などの外部装置との間で各種のデータを送受信する。測定値記録部１３は、測定部１１から出力された測定値データＤ１や、後述するように測定装置２から送信されて通信部１２によって受信された測定値データＤ２、およびデータ処理部１６によって生成される測定値データＤ３を記録する。操作部１４は、波形表示装置１の動作条件を設定するための複数の操作スイッチを備え（図示せず）、スイッチ操作に応じた操作信号をデータ処理部１６に出力する。表示部１５は、波形表示装置１の動作条件を設定する動作条件設定画面や、データ処理部１６によって生成される測定値データＤ３に基づく信号波形などの各種の測定結果の表示画面など（いずれも図示せず）をデータ処理部１６の制御下で表示する。
【００２３】
データ処理部１６は、波形表示装置１を総括的に制御する。このデータ処理部１６は、「処理部」の一例であって、後述するように、測定装置２において生成された測定値データＤ２を測定装置２から取得して測定値データＤ１，Ｄ２に基づいて測定値データＤ３を生成する「データ生成処理」を実行する。また、データ処理部１６は、生成した測定値データＤ３を測定値記録部１３に記録させると共に、その測定値データＤ３に基づく測定結果（信号波形等）を表示部１５に表示させる。
【００２４】
なお、データ処理部１６が実行する各種の処理については、後に具体的な例を挙げて詳細に説明するが、本例の波形表示装置１では、測定部１１のクロック（第１のクロック）とは別個独立して動作するクロックがデータ処理部１６に接続されており、データ処理部１６が、そのクロックのカウント値に応じて各種の処理を実行する構成が採用されている。記憶部１７は、データ処理部１６の演算結果などを記憶する。
【００２５】
一方、測定装置２は、波形表示装置１（測定部１１）とは別個独立して任意の測定処理を実行することができるように構成されている。この測定装置２は、測定部２１および通信部２２を備えて構成されている。
【００２６】
測定部２１は、予め規定された任意の被測定量についての測定処理を実行してその測定値（電流値、電圧値、抵抗値、電力値、位相、温度、湿度、歪み、輝度（光度）、照度、雨量および流量など）を示す測定値データＤ２を生成する処理を実行可能に構成されている。この場合、本例の測定装置２では、一例として、測定部２１が、測定対象に印加されている電圧の電圧値を測定して測定値としての電圧値を示す測定値データＤ２を生成可能に構成されている。この測定部２１は、「第２のクロック」の一例である図示しないクロックを備えている。また、測定部２１は、予め設定された測定条件に従い、クロックのカウント値（「第２のカウント値」の一例）に基づいて特定されるサンプリング周期（電圧の測定周期：「第２の周期」の一例）で電圧値を示す測定値データＤ２を生成して出力可能に構成されている。
【００２７】
通信部２２は、一例として、通信ケーブル３を介して接続された波形表示装置１との間で各種のデータを送受信する。なお、実際の測定装置２は、測定部２１および通信部２２の他に、測定条件を設定するための操作部、測定値データＤ２を記録可能な測定値記録部、および測定結果を表示可能な表示部などを備えて構成されているが、波形表示装置１（測定システムＳ１）の構成に関する理解を容易とするために、それらについての図示および詳細な説明を省略する。
【００２８】
この場合、本例の測定システムＳ１では、測定部１１が測定値データＤ１を生成するときに、その測定値データＤ１を生成した時点を特定可能なカウント値（測定値データＤ１の生成時刻を特定可能な情報：「第１のカウント値」の一例）を測定値データＤ１に含ませて出力する構成が採用されている。したがって、本例の測定システムＳ１では、波形表示装置１のデータ処理部１６が、測定部１１からの測定値データＤ１を取得することで、その測定値データＤ１に含まれているカウント値に基づいて測定値データＤ１の生成時点を特定することが可能となっている（「測定部からの第１の処理対象データの取得時に第１の処理対象データの生成時点における第１のカウント値を測定部から取得する」との動作が可能な構成の一例）。
【００２９】
また、本例の測定システムＳ１では、測定部２１が測定値データＤ２を生成するときに、その測定値データＤ２を生成した時点を特定可能なカウント値（測定値データＤ２の生成時刻を特定可能な情報：「第２のカウント値」の一例）を測定値データＤ２に含ませて出力する構成が採用されている。したがって、本例の測定システムＳ１では、波形表示装置１のデータ処理部１６が、測定部２１からの測定値データＤ２を取得することで、その測定値データＤ２に含まれているカウント値に基づいて測定値データＤ２の生成時点を特定することが可能となっている（「外部装置からの第２の処理対象データの取得時に第２の処理対象データの生成時点における第２のカウント値を外部装置から取得する」との動作が可能な構成の一例）。
【００３０】
この測定システムＳ１は、各種の用途において使用することができるが、一例として、波形表示装置１において測定される電流値（測定値データＤ１の値）と、測定装置２において測定される電圧値（測定値データＤ２の値）とに基づき、測定対象において消費される電力の瞬時値を示す測定値データＤ３を波形表示装置１において生成し、かつ生成した測定値データＤ３に基づく信号波形（電流値の推移、電圧値の推移および電力の瞬時値の推移を示す信号波形等）を波形表示装置１の表示部１５に表示させるものとする。このような用途で測定システムＳ１を使用するときには、まず、波形表示装置１の通信部１２に通信ケーブル３を介して測定装置２（通信部２２）を接続する。次いで、波形表示装置１による電流の測定条件、および測定装置２による電圧の測定条件をそれぞれ設定する。
【００３１】
この場合、測定部１１が測定値データＤ１の生成に使用するクロックのカウント周期、測定部２１が測定値データＤ２の生成に使用するクロックのカウント周期、およびデータ処理部１６が各種の処理に使用するクロックのカウント周期は非常に短い周期のため、各クロックのカウント値は短時間で大きく変化する。このため、「カウント値」に関して実際の値を例示して説明した場合には、「第１のクロックの第１のカウント値に基づいて特定される第１の周期」、「第１の周期で生成される第１の処理対象データ」、「第２のクロックの第１のカウント値に基づいて特定される第２の周期」、および「第２の周期で生成される第２の処理対象データ」などの事項に関する理解が困難となるおそれがある。したがって、以下、図２に例示するように、単位時間当たりの変化量を実際の変化量よりも少なくした「カウント値」に基づいて各種の処理が実行されるものとして説明する。
【００３２】
また、実際の波形表示装置１や測定装置２では、各クロックの基本発振周波数や分周器の動作状態に応じて上記の各クロックのカウント周期が互いに相違する周期となるが、波形表示装置１や測定装置２の動作に関する理解を容易とするために、以下、一例として、各クロックが同じカウント周期で動作しているものとして説明する。さらに、実際の波形表示装置１や測定装置２では、各クロックのリセットのタイミングが異なるため、各クロックのカウント値が大きく異なる値となることがあるが、カウント値の対比を容易とするために、各クロックがほぼ同時にリセットされた状態（各クロックのカウント値が同程度の値で推移する状態）で動作しているものとして説明する。
【００３３】
また、以下の説明において参照する図２では、測定値記録部１３に記録された時点の測定値データＤ１，Ｄ２に含まれるカウント値、およびデータ処理部１６が測定値データＤ３の生成（信号波形の表示）に使用した時点の測定値データＤ１，Ｄ２に含まれるカウント値について、データ処理部１６のクロックのカウント値（以下、「データ処理部１６のカウント値」ともいう）の時点を基準とする各時点毎に並べて図示している。
【００３４】
具体的には、測定部１１のクロックのカウント値（以下、「測定部１１のカウント値」ともいう）については、丸括弧の外の値が、その時点において測定値記録部１３に記録された測定値データＤ１に含まれるカウント値を示し、丸括弧内の値が、その時点に対応する測定値データＤ３の生成に使用した測定値データＤ１に含まれるカウント値を示している。また、測定部２１のクロックのカウント値（以下、「測定部２１のカウント値」ともいう）については、丸括弧の外の値が、その時点において測定値記録部１３に記録された測定値データＤ２に含まれるカウント値を示し、丸括弧内の値が、その時点に対応する測定値データＤ３の生成に使用した測定値データＤ３に含まれるカウント値を示している。
【００３５】
つまり、同図の例は、波形表示装置１の測定部１１が「２０カウント毎の周期（「第１の周期」の一例）」で測定処理を実行して測定値データＤ１を生成し、かつ測定装置２の測定部２１が「４０カウント毎の周期（「第２の周期」の一例）」で測定処理を実行して測定値データＤ２を生成するように設定されると共に（「第１の周期の時間長および第２の周期の時間長が異なるとき」の一例）、データ処理部１６が「２０カウント毎の周期」で測定値データＤ３の生成および信号波形の表示を実行するように設定された状態で各種の処理が行われたことを示している。
【００３６】
一方、図２に示す例のような条件で動作するように測定条件がそれぞれ設定された状態で波形表示装置１および測定装置２を動作させたときには、データ処理部１６のカウント値が「００５０」の時点ｔ１ａにおいて測定部１１によって生成された測定値データＤ１（測定部１１のカウント値が「００４０」の時点において生成された測定値データＤ１：以下、測定部１１のカウント値が「Ｎ」の時点において生成された「測定値データＤ１」を「測定値データＤ１−Ｎ」ともいう）が測定値記録部１３に記録される。なお、本例では、この時点ｔ１ａにおいて測定値記録部１３に記録された測定値データＤ１−００４０が測定部１１によって最初に生成された測定値データＤ１であるものとする。
【００３７】
また、データ処理部１６のカウント値が「００７０」の時点ｔ１ｂにおいては、測定部１１によって生成された測定値データＤ１−００６０が測定値記録部１３に記録されると共に、測定部２１のカウント値が「００８０」の時点において生成された測定値データＤ２：以下、測定部２１のカウント値が「Ｍ」の時点において生成された「測定値データＤ２」を「測定値データＤ２−Ｍ」ともいう）が通信部２２，１２を介してデータ処理部１６に出力されて測定値記録部１３に記録される。なお、本例では、この時点ｔ１ｂにおいて測定値記録部１３に記録される測定値データＤ２−００８０が測定部２１によって最初に生成された測定値データＤ２であるものとする。
【００３８】
上記の例では、測定部１１からの測定値データＤ１−００６０および測定部２１からの測定値データＤ２−００８０が測定値記録部１３に記録された時点ｔ１ｂにおいて、データ処理部１６が、測定値データＤ１−００６０に記録されている電流値と測定値データＤ２−００８０に記録されている電圧値とに基づいて消費電力の瞬時値を演算し、演算結果を示す測定値データＤ３（データ処理部１６のカウント値が「００７０」の時点において生成された測定値データＤ３：以下、データ処理部１６のカウント値が「Ｌ」の時点において生成された「測定値データＤ３」を「測定値データＤ３−Ｌ」ともいう）を生成して測定値記録部１３に記録させる。
【００３９】
また、データ処理部１６は、表示部１５に表示させている図示しない波形表示画面内に、測定値データＤ１−００６０に基づく電流波形の時点ｔ１ｂに対応する一点をプロットし、測定値データＤ２−００８０に基づく電圧波形の時点ｔ１ｂに対応する一点をプロットし、かつ測定値データＤ３−００７０に基づく消費電力（瞬時値）の波形（以下、「電力波形」ともいう）の時点ｔ１ｂに対応する一点をプロットする。
【００４０】
さらに、データ処理部１６は、上記の時点ｔ１ｂにおいて、測定値データＤ１−００６０に含まれる測定部１１のカウント値（「第１のカウント値」の一例）と、測定値データＤ２−００８０に含まれる測定部２１のカウント値（「第２のカウント値」の一例）との相違量を特定する（「相違量特定処理」の一例）。
【００４１】
具体的には、データ処理部１６は、時点ｔ１ｂにおける自らのカウント値（この例では、「００７０」）と、測定値データＤ１−００６０に含まれている測定部１１のカウント値（この例では、「００６０」）とに基づき、データ処理部１６のカウント値と測定部１１のカウント値との相違量が「−１０」であると演算する。また、データ処理部１６は、時点ｔ１ｂにおける自らのカウント値（この例では、「００７０」）と、測定値データＤ２−００８０に含まれている測定部２１のカウント値（この例では、「００８０」）とに基づき、データ処理部１６のカウント値と測定部２１のカウント値との相違量が「１０」であると演算する。さらに、データ処理部１６は、演算した両相違量に基づき、時点ｔ１ｂにおける測定部１１のカウント値と測定部２１のカウント値との相違量（測定部１１のカウント値を基準とする相違量）が「２０」であると演算し、演算結果を記憶部１７に記憶させる。
【００４２】
一方、データ処理部１６のカウント値が「００９０」の時点ｔ１ｃにおいては、測定部１１によって生成された測定値データＤ１−００８０が測定値記録部１３に記録される。この際には、測定部２１によって生成された新たな測定値データＤ２が取得されないため、データ処理部１６は、新たな測定値データＤ２が測定値記録部１３に記録されるまで測定値データＤ３の生成および信号波形のプロットや「相違量特定処理」を行わずに待機する。また、データ処理部１６のカウント値が「０１１０」の時点ｔ１ｄにおいては、測定部１１によって生成された測定値データＤ１−０１００が測定値記録部１３に記録されると共に、測定部２１によって生成された測定値データＤ２−０１２０が通信部２２，１２を介してデータ処理部１６に出力されて測定値記録部１３に記録される。
【００４３】
この際に、データ処理部１６は、測定値記録部１３に記録されている測定値データＤ２−００８０，Ｄ２−０１２０に基づき、データ処理部１６のカウント値が「００９０」の時点ｔ１ｃに対応する測定値データＤ２（すなわち、測定部２１のカウント値が「０１００」の時点に対応する測定値データＤ２−０１００）を生成して（補完して）測定値記録部１３に記憶させる（「外部装置から取得した第２の処理対象データに基づいて第１の周期に対応する第２の処理対象データを補完する第１のデータ補完処理」の一例）。
【００４４】
また、データ処理部１６は、上記の時点ｔ１ｄにおいて、測定値記録部１３に記録されている測定値データＤ１−００８０に記録されている電流値と、補完した測定値データＤ２−０１００の電圧値とに基づいて消費電力の瞬時値を演算し、演算結果を示す測定値データＤ３−００９０を生成して測定値記録部１３に記録させる。さらに、データ処理部１６は、表示部１５に表示させている波形表示画面内に、測定値データＤ１−００８０に基づく電流波形の時点ｔ１ｃに対応する一点をプロットし、測定値データＤ２−０１００に基づく電圧波形の時点ｔ１ｃに対応する一点をプロットし、かつ測定値データＤ３−００９０に基づく電力波形の時点ｔ１ｃに対応する一点をプロットする。
【００４５】
また、データ処理部１６は、上記の時点ｔ１ｄにおいて、測定値記録部１３に記録されている測定値データＤ１−０１００に記録されている電流値、および測定値データＤ２−０１２０に記録されている電圧値に基づいて消費電力の瞬時値を演算し、演算結果を示す測定値データＤ３−０１１０を生成して測定値記録部１３に記録させる。さらに、データ処理部１６は、表示部１５に表示させている波形表示画面内に、測定値データＤ１−０１００に基づく電流波形の時点ｔ１ｄに対応する一点をプロットし、測定値データＤ２−０１２０に基づく電圧波形の時点ｔ１ｄに対応する一点をプロットし、かつ測定値データＤ３−０１１０に基づく電力波形の時点ｔ１ｄに対応する一点をプロットする。
【００４６】
さらに、データ処理部１６は、「相違量特定処理」を実行し、測定値データＤ１−０１００に含まれる測定部１１のカウント値（この例では、「０１００」）、測定値データＤ２−０１２０に含まれる測定部２１のカウント値（この例では、「０１２０」）、および自身のカウント値（この例では、「０１１０」）に基づき、時点ｔ１ｄにおける測定部１１のカウント値と測定部２１のカウント値との相違量が「００２０」であると演算し、演算結果を記憶部１７に記憶させる（データ処理部１６のカウント値の４０カウント毎に「相違量特定処理」を実行する例）。
【００４７】
この際に、データ処理部１６は、相違量に関して記憶部１７に記憶されている直前の演算結果（この例では、「相違量＝２０」）から、最新の演算結果（この例では、「相違量＝２０」）までの「相違量」の変化量が「０」カウントであると判別し、次に測定値データＤ３を生成する際に測定値データＤ１および測定値データＤ２の同期に関する調整が不要と判定する。この後、データ処理部１６は、上記の時点ｔ１ｃ，ｔ１ｄにおいて実行した各処理を繰り返し実行する。
【００４８】
この場合、この種のシステム（装置）による測定作業時には、波形表示装置１の動作状態や測定装置２の動作状態に応じて、測定部１１による測定結果を示す測定値データＤ１が測定値記録部１３に記録されるまでに要する時間や、測定部２１による測定結果を示す測定値データＤ２が測定値記録部１３に記録されるまでに要する時間、すなわち、データ処理部１６が測定値データＤ１，Ｄ２を取得するタイミングがそれぞれ変化することがある。
【００４９】
具体的には、測定部１１，２１に加わっている負荷が大きいときに、測定結果に基づいて測定値データＤ１，Ｄ２を生成する際の符号化処理に要する時間が長くなったり、測定値記録部１３からの測定値データＤ１からＤ３の読み出しや測定値記録部１３に対する測定値データＤ１〜Ｄ３の書き込みが行われていることで新たな測定値データＤ１，Ｄ２が測定値記録部１３に記録されるまでに要する時間が長くなったり、通信部２２，１２間における他のデータの送受信に起因して新たな測定値データＤ２が測定装置２（測定部２１）から波形表示装置１（データ処理部１６）に到達するまでに要する時間が長くなったりする。また、測定部１１，２１が別個独立して動作するクロックをそれぞれ備えているため、測定部１１のカウント値の進行に対する測定部１２のカウント値の進行に遅れや進みが生じて、測定部１１のカウント値と測定部１２のカウント値との差が経時的に変化することもある。
【００５０】
例えば、前述した測定値データＤ２−００８０，Ｄ２−０１２０が測定値記録部１３に記録された時点ｔ１ｂ，ｔ１ｄと比較して、測定値データＤ２の測定値記録部１３への記録に要する時間が測定部２１のカウント値における１０カウント分だけ長くなっている状態においては、例えば、データ処理部１６のカウント値が「１０７０」の時点ｔ２ｃにおいて測定値記録部１３に記録されるべき測定値データＤ２−１０８０が、データ処理部１６のカウント値が「１０８０」の時点ｔ２ｄにおいて測定値記録部１３に記録されることとなる。
【００５１】
この際に、測定値データＤ１の測定値記録部１３への記録に要する時間が時点ｔ１ｂ，ｔ１ｄと同程度の状態（測定値データＤ１を取得するタイミングが時点ｔ１ｂ，ｔ１ｄから変化していない状態）であったときに、測定値データＤ２−１０８０の取得に関する１０カウント分の遅延を考慮せずに、測定値データＤ２−１０８０を時点ｔ２ｄに対応するデータとして扱った場合には、時点ｔ２ｃに対応する消費電力（瞬時値）の演算結果が不正確な値となる。したがって、本例の測定システムＳ１（波形表示装置１）では、前述したようにデータ処理部１６が４０カウント毎に繰り返し実行している「相違量特定処理」によって演算した「相違量」の変化量に応じて測定値データＤ１の値（電流値）および測定値データＤ２の値（電圧値）を好適に同期させる処理が実行される。
【００５２】
具体的には、測定値データＤ２の測定値記録部１３への記録に要する時間がデータ処理部１６のカウント値の１０カウント分遅れている状態では、データ処理部１６のカウント値が「１０３０」の時点ｔ２ａに対応して実行される「相違量特定処理」によって「相違量」の変化量（測定部１１のカウント値を基準とする変化量）が「−１０」カウントであると演算される。
【００５３】
より具体的には、データ処理部１６は、時点ｔ２ａにおける自らのカウント値（この例では、「１０３０」）と、測定値データＤ１−１０２０に含まれている測定部１１のカウント値（この例では、「１０２０」）とに基づき、データ処理部１６のカウント値と測定部１１のカウント値との相違量が「−１０」であると演算する。一方、この時点ｔ２ａにおいては、測定値記録部１３に新たな測定値データＤ２−１０４０が記録されていないため、データ処理部１６は、測定値記録部１３に測定値データＤ２−１０４０が記録された時点ｔ２ｂにおいて、自らのカウント値（この例では、「１０４０」）と、測定値データＤ２−１０４０に含まれている測定部２１のカウント値（この例では、「１０４０」）とに基づき、データ処理部１６のカウント値と測定部２１のカウント値との相違量が「０」であると演算する。
【００５４】
さらに、データ処理部１６は、時点ｔ２ａに演算した測定部１１のカウント値とデータ処理部１６のカウント値との相違量、および時点ｔ２ｂに演算した測定部２１のカウント値とデータ処理部１６のカウント値との相違量に基づき、時点ｔ２ｂにおける測定部１１のカウント値と測定部２１のカウント値との相違量が「１０」であると演算し、演算結果を記憶部１７に記憶させる。この結果、時点ｔ１ｂ，ｔ１ｄに実行された「相違量特定処理」によって演算された「相違量（上記の例では「２０」）」と、時点ｔ２ｂにおいて演算された「相違量（この例では「１０」）」との変化量が「−１０」であると特定される。
【００５５】
したがって、データ処理部１６は、上記の例における時点ｔ２ｄにおいて測定値記録部１３に記録された測定値データＤ２−１０８０を、特定した変化量に応じて、自らのカウント値の１０カウント分前の時点の測定値データＤ２として扱う。これにより、時点ｔ２ｄにおいて測定値記録部１３に記録された測定値データＤ２−１０８０が、データ処理部１６のカウント値が「１０７０」の時点ｔ２ｃに対応する測定値データＤ２として使用されて、測定値データＤ１−１０６０および測定値データＤ２−１０８０に基づく測定値データＤ３−１０７０が生成される。
【００５６】
なお、具体的なカウント値を例示しての説明を省略するが、本例の波形表示装置１では、上記の例のように測定値データＤ２の測定値記録部１３への記録に要する時間が長くなったときだけでなく、測定値データＤ１の測定値記録部１３への記録に要する時間が長くなったとき、測定値データＤ１の測定値記録部１３への記録に要する時間が短くなったとき、および測定値データＤ２の測定値記録部１３への記録に要する時間が短くなったときにも、「相違量特定処理」によって繰り返し特定される「相違量」の変化に応じて測定値データＤ１の値および測定値データＤ２の値を同期されて測定値データＤ３が生成される（「直前に実行した相違量特定処理によって特定した相違量に応じて第１の処理対象データおよび第２の処理済対象データを同期させて処理済データを生成するデータ生成処理」の一例）。
【００５７】
具体的には、測定値データＤ１の測定値記録部１３への記録に要する時間が長くなったときには、直前に実行した「相違量特定処理」によって特定された「相違量」の変化量に応じて実際に測定値データＤ１が測定値記録部１３に記録された時点（データ処理部１６が測定値データＤ１を取得した時点）から変化量分だけ前の測定値データＤ１として扱って測定値データＤ３を生成する。また、測定値データＤ１，Ｄ２の測定値記録部１３への記録に要する時間が短くなったときには、直前に実行した「相違量特定処理」によって特定された「相違量」の変化量に応じて実際に測定値データＤ１，Ｄ２が測定値記録部１３に記録された時点（データ処理部１６が測定値データＤ１，Ｄ２を取得した時点）から変化量分だけ先の（後の）測定値データＤ１，Ｄ２として扱って測定値データＤ３を生成する。
【００５８】
なお、上記の例では、測定部１１のカウント値における２０カウント分の時間長の周期で測定値データＤ１が生成され、測定部２１のカウント値における４０カウント分の時間長の周期で測定値データＤ２が生成され、データ処理部１６のカウント値における２０カウント分の時間長の周期で測定値データＤ３を生成するために不足する測定値データＤ２を測定装置２から実際に出力された２つの測定値データＤ２，Ｄ２に基づいて補完する処理を行っているが、例えば、測定部１１のカウント値における４０カウント分の時間長の周期で測定値データＤ１が生成され、測定部２１のカウント値における２０カウント分の時間長の周期で測定値データＤ２が生成されている状態において、データ処理部１６のカウント値における２０カウント分の時間長の周期で測定値データＤ３を生成する際には、不足する測定値データＤ１を測定装置２から実際に出力された２つの測定値データＤ１，Ｄ１に基づいて補完する処理が行われる（「測定部から取得した第１の処理対象データに基づいて第２の周期に対応する第１の処理対象データを補完する第２のデータ補完処理」の一例）。
【００５９】
また、測定部１１による測定値データＤ１の生成周期、および測定部２１による測定値データＤ２の生成周期が相違しているか一致しているかを問わず、測定値データＤ１の生成のタイミングと測定値データＤ２の生成のタイミングとが一致しない周期が存在する状態で測定部１１，２１が動作しているときや、測定値データＤ１の生成周期および測定値データＤ２の生成周期の双方と相違する周期で測定値データＤ３を生成するときには、不足する測定値データＤ１，Ｄ２の少なくとも一方を他方の生成タイミングに合わせて補完する処理が行われる。
【００６０】
この場合、波形表示装置１および測定システムＳ１による各処理の概要を容易に理解可能とするために、実際の「カウント値」の推移とは異なる簡易な数値例を挙げて説明したが、実際には、短時間で大きく変化する「カウント値」に基づいて上記の一連の処理が実行されるため、測定値データＤ１，Ｄ２の同期（測定値データＤ３の生成）は次のように行われる。
【００６１】
まず、測定値データＤ１を取得した時点におけるデータ処理部１６の「カウント値」と、その測定値データＤ１に含まれている測定部１１のカウント値との比率から、「補正係数ｘ」を算出する。また、測定値データＤ２を取得した時点におけるデータ処理部１６の「カウント値」と、その測定値データＤ２に含まれている測定部２１のカウント値との比率から、「補正係数ｙ」を算出する。この補正係数ｘ，ｙの算出については、一定の周期で繰り返し実行する。
【００６２】
また、測定値データＤ３の生成に際しては、測定値データＤ１に含まれている測定部１１のカウント値に補正係数ｘを乗じることでその測定値データＤ１を対応させるべき時点（測定値データＤ１を対応させるべきデータ処理部１６のカウント値）を本来の時点（カウント値）に補正すると共に、測定値データＤ２に含まれている測定部２１のカウント値に補正係数ｙを乗じることでその測定値データＤ２を対応させるべき時点（測定値データＤ２を対応させるべきデータ処理部１６のカウント値）を本来の時点（カウント値）に補正する。
【００６３】
これにより、測定システムＳ１によって測定値データＤ１，Ｄ２に基づく測定値データＤ３の生成や信号波形の表示を実行している最中に、測定値データＤ１が測定値記録部１３に記録されるのに要する時間（データ処理部１６が測定値データＤ１を取得するタイミング）、および測定値データＤ２が測定値記録部１３に記録されるのに要する時間（データ処理部１６が測定値データＤ２を取得するタイミング）のいずれか、または双方が変化したとしても、その変化の状態に応じて測定値データＤ１，Ｄ２が的確に同期されて測定値データＤ３が生成される。
【００６４】
このように、この波形表示装置１では、データ処理部１６が、測定部１１が測定値データＤ１を生成する際に使用している「第１のクロック」の「第１のカウント値」、および測定装置２が測定値データＤ２を生成する際に使用している「第２のクロック」の「第２のカウント値」を取得して、取得した「第１のカウント値」および「第２のカウント値」の相違量を特定する「相違量特定処理」を繰り返し実行すると共に、「データ生成処理」において、直前に実行した「相違量特定処理」によって特定した相違量に応じて測定値データＤ１，Ｄ２を同期させて「処理済データ」を生成する。また、この測定システムＳ１では、上記の波形表示装置１と、「外部装置」としての「外部測定装置」の一例である測定装置２とを備えて構成されている。
【００６５】
したがって、この波形表示装置１および測定システムＳ１によれば、測定装置２から同期信号を取得したり、波形表示装置１から測定装置２に対して動作クロックのクロック信号を供給したりすることなく、「相違量特定処理」によって特定される測定部１１のクロックのカウント値と測定装置２（測定部２１）のクロックのカウント値との相違量に基づいて、波形表示装置１において生成される測定値データＤ１の値と測定装置２において生成される測定値データＤ２の値とを正確に同期させることができる。これにより、測定値データＤ１，Ｄ２に基づく測定値データＤ３の生成を行っている最中にデータ処理部１６が測定値データＤ１を取得するのに要する時間、およびデータ処理部１６が測定値データＤ２を取得するのに要する時間が変化したり、測定部１１のクロックのカウント値の進行に対する測定部１２のクロックのカウント値の進行に遅れや進みが生じたりしたとしても、正確に同期された測定値データＤ１，Ｄ２に基づいて正確な測定値データＤ３を生成することができる。
【００６６】
また、この波形表示装置１では、データ処理部１６が、「第１の周期」の時間長および「第２の周期」の時間長が異なるときに、測定装置２から取得した測定値データＤ２に基づいて「第１の周期」に対応する測定値データＤ２を補完する「第１のデータ補完処理」、および測定部１１から取得した測定値データＤ１に基づいて「第２の周期」に対応する測定値データＤ１を補完する「第２のデータ補完処理」の少なくとも一方を実行する。したがって、この波形表示装置１および測定システムＳ１によれば、生成のタイミングが一致する測定値データＤ１，Ｄ２だけに基づいて測定値データＤ３を生成する構成と比較して、その時間間隔が充分に短い多数の値が記録された詳細な測定値データＤ３を提供することができる。
【００６７】
さらに、この波形表示装置１では、データ処理部１６が、測定部１１からの測定値データＤ１の取得時に測定値データＤ１の生成時点における「第１のカウント値」を測定部１１から取得し、かつ測定装置２からの測定値データＤ２の取得時に測定値データＤ２の生成時点における「第２のカウント値」を測定装置２から取得する。したがって、この波形表示装置１および測定システムＳ１によれば、測定値データＤ１の取得とは別の時点において「第１のカウント値」を取得したり、測定値データＤ２の取得とは別の時点におけて「第２のカウント値」を取得したりする構成とは異なり、取得した測定値データＤ１と共に取得した「第１のカウント値」（本例では、測定値データＤ１に含まれている「カウント値」）、および測定値データＤ２と共に取得した「第２のカウント値」（本例では、測定値データＤ２に含まれている「カウント値」）に基づいて、取得した測定値データＤ１，Ｄ２をほぼリアルタイムに同期させて測定値データＤ３を生成することができる。
【００６８】
なお、「測定装置」および「測定システム」の構成は、上記の波形表示装置１および測定システムＳ１の構成の例に限定されない。
【００６９】
例えば、測定部１１による測定値データＤ１の生成周期（第１の周期）と測定装置２（測定部２１）による測定値データＤ２の生成周期（第２の周期）とが相違する動作例を挙げて説明したが、「第１の周期」および「第２の周期」が同じ周期となるように動作させた場合においても、上記の例示のときと同様の効果を奏することができる。また、測定部１１による測定値データＤ１の生成周期と同じ周期で測定値データＤ３を生成す動作例を挙げて説明したが、「処理済データ」の生成周期は、「第１の周期」および「第２の周期の双方と相違する周期とすることができる。
【００７０】
さらに、測定値データＤ１に含まれる測定部１１のカウント値、および測定値データＤ２に含まれる測定部２１のカウント値に基づいて「相違量」を特定する構成を例に挙げて説明したが、測定値データＤ１の生成時点を特定可能に測定値データＤ１とは別個に生成されたカウント値のデータ（「第１のカウント値」の他の一例）、および測定値データＤ２の生成時点を特定可能に測定値データＤ２とは別個に生成されたカウント値のデータ（「第２のカウント値」の他の一例）を取得して「相違量」を特定する構成を採用することもできる。
【００７１】
この場合、「第１のカウント値」および「第２のカウント値」については、「測定部」や「外部装置」が自動的に生成して出力したデータに限定されず、「測定部」が使用している「第１のクロック」の「第１のカウント値」を「処理部」が読み取る（そのようなカウント値のデータの出力を要求する）構成や、「外部装置」が使用している「第２のクロック」の「第２のカウント値」を「処理部」が読み取る（そのようなカウント値のデータ出力を要求する）構成を採用することもできる。
【００７２】
また、波形表示装置１の測定部１１およびデータ処理部１６が別個独立して動作するクロックのカウント値に基づいて動作する構成の波形表示装置１の構成を例に挙げて説明したが、「測定装置」の「測定部」および「処理部」が共通のクロックのカウント値（第１のクロックの第１のカウント値）に応じて動作する構成を採用することもできる。
【００７３】
さらに、「外部装置」としての「外部測定装置」の一例である測定装置２から「第２の処理対象データ」の一例である測定値データＤ２を取得して「処理済データ」としての測定値データＤ３を生成する構成を例に挙げて説明したが、「測定システム」を構成する「外部装置」は「外部測定装置」に限定されず、また「測定装置」が使用する「第２の処理対象データ」も「測定値データ」に限定されない。具体的には、「外部装置」としての「撮像装置」を採用し「第２の処理対象データ」としての「撮像データ」を「第１の処理対象データ（測定値データ）」と同期させて「処理済データ」を生成することもできる。
【符号の説明】
【００７４】
Ｓ１  測定システム
１  波形表示装置
２  測定装置
３  通信ケーブル
１１，２１  測定部
１２，２２  通信部
１３  測定値記録部
１４  操作部
１５  表示部
１６  データ処理部
１７  記憶部
Ｄ１〜Ｄ３  測定値データ
【図１】
2019211379.tif 000003
【図２】
2019211379.tif 000004